(57)【要約】    【課題】釣人が撒き餌を投げる際に当該撒き餌が拡散することなく遠投される撒き餌用の柄杓の提供。    【解決手段】この柄杓１０は、カップ１１と柄部１２とを備える。カップ１１は、餌収容部１３を有する。餌収容部１３の内壁面１４は、開口端１５を有する凹面により構成さえる。内壁面１４には、餌収容部１３の内側に隆起した隆起部１９が設けられている。隆起部１９は、内壁面１４の略中央部から柄部１２側に形成されている。隆起部１９の先端部２１には、カップ１１の外部と連通する連通孔２３が形成されている。隆起部は、扇形に形成されている。隆起部の高さ寸法ｈは、２ｍｍ〜２０ｍｍに設定される。【選択図】  図２
2005073662.tif 000002
【特許請求の範囲】
【請求項１】
開口端を有する凹面により内壁面が形成された餌収容部を有するカップと、
カップの外面に連結された柄部と、
上記内壁面に連続し餌収容部の内側に隆起した隆起部とを備え、
当該隆起部は、上記内壁面の略中央部から柄部側に形成され、当該隆起部の反柄部側端部にカップの外部と連通する連通孔が形成されている柄杓。
【請求項２】
上記隆起部の柄部側端部は、上記内壁面に滑らかに連続している請求項１に記載の柄杓。
【請求項３】
上記隆起部は、上記内壁面の略中央部から柄部側に向かって拡がる扇形状に形成され、隆起高さ寸法は、２ｍｍ〜２０ｍｍの範囲に設定されている請求項１又は２に記載の柄杓。
【請求項４】
開口端を有する凹面により内壁面が形成された餌収容部を有するカップと、
カップの外面に連結された柄部と、
上記内壁面の底面部に柄部の長手方向に沿って形成された凹条とを備え、
当該凹条の柄部側端部に、カップの外部と連通する連通孔が形成されている柄杓。
【請求項５】
上記凹条は、壁面が内径寸法１ｍｍ〜１０ｍｍに設定された半円形の溝により構成されており、当該溝がカップの外部へ貫通している請求項４に記載の柄杓。
【発明の詳細な説明】
【技術分野】
【０００１】
この発明は、いわゆる餌釣りの際に使用される柄杓の構造に関するものである。
【背景技術】
【０００２】
図５は、従来の一般的な撒き餌用の柄杓の要部拡大斜視図である。
例えばウキ釣りでは撒き餌は欠かせないものであり、また、撒き餌が釣人の所望のポイントへ正確に投入されることが釣果に大きく影響する。撒き餌は、通常、同図が示すような柄杓１によって海中へ投入される。つまり、釣人は、カップ２に撒き餌を詰め、柄部３を把持して撒き餌を投げる。
【０００３】
柄杓１は、撒き餌が釣人の所望のポイントへ正確に投入されるために、従来から種々の改良が施されている（例えば、特許文献１〜特許文献４参照）。すなわち、柄杓は、例えば、撒き餌が遠投されるため、あるいは撒き餌が広範囲に散布されるため等、その目的に応じてカップや柄部の構造が改良されている。
【０００４】
【特許文献１】特開２０００−１０２３３６号
【特許文献２】特開２０００−９３０６１号
【特許文献３】特開平９−１０７８５７号公報
【特許文献４】特開平９−３７６９６号公報
【発明の開示】
【発明が解決しようとする課題】
【０００５】
魚のヒットポイントが釣人から離れた場所である場合は、当然に撒き餌は遠投される必要がある。しかし、通常撒き餌はオキアミ等であり、釣人は、柄杓１を用いて撒き餌を遠投する際に、散らばることなく塊を形成したままオキアミを飛行させることが非常に困難である。しかし、釣人は、釣果を挙げるためには、撒き餌を正確に遠投したいという要望を持っている。
【０００６】
そこで、本発明の目的は、オキアミのようにまとまりが悪い餌であっても、これを撒き餌として正確に遠投することができる柄杓を提供することがである。
【課題を解決するための手段】
【０００７】
(1) 上記目的が達成されるため、本願に係る柄杓は、開口端を有する凹面により内壁面が形成された餌収容部を有するカップと、カップの外面に連結された柄部と、上記内壁面に連続し餌収容部の内側に隆起した隆起部とを備え、当該隆起部は、上記内壁面の略中央部から柄部側に形成され、当該隆起部の反柄部側端部にカップの外部と連通する連通孔が形成されていることを特徴とするものである。
【０００８】
この構成によれば、撒き餌は、カップの餌収容部に詰め込まれ、釣人は、柄部を操作することによって撒き餌を投げる。このとき、餌収容部の内壁面に連続形成された隆起部によって、当該餌収容部は、いわゆる底上げされた状態となっている。撒き餌が投げられる際（すなわち、釣人が投げ動作を行う時）には、カップ内の撒き餌は、カップの先端側に移動しようとするものであるから、したがって、撒き餌は、餌収容部の内壁面から剥離しやすい状態となっている。
【０００９】
さらに、撒き餌が上記内壁面から剥離されることによって、当該内壁面と撒き餌との間に空間が形成されることになる。このとき、上記隆起部の側端部にはカップの外部と連通する連通孔が形成されているから、上記空間に外部から空気が直ちに導入される。したがって、仮に上記空間に空気が導入されないあるいは導入されにくい場合は、撒き餌が上記内壁面から剥離すると同時に上記空間内の圧力が低下し、これにより撒き餌が分裂するおそれがあるが、上記空間に外部から空気が直ちに導入されることにより、上記空間内の圧力は大気圧を保つことができ、撒き餌の分裂が回避される。
【００１０】
加えて、撒き餌がカップから飛び出す場合、撒き餌は、上記内壁面を柄部が設けられた側と反対側にスライドするが、このとき、前述のように、上記隆起部によって餌収容部が底上げされた状態となっているから、上記隆起部の反柄部側端部と撒き餌との間に最初に上記空間が形成されることになる。そして、上記連通孔は、上記隆起部の反柄部側端部に設けられているから、上記空間が形成され始めたときに、これに遅れることなく瞬時に上記空間に空気が導入される。しかも、撒き餌がカップ内を移動することによっては、上記連通孔が塞がれることはないから、撒き餌がカップ内をスライドし始めた後に当該スライドを阻害する抵抗が生じることはなく、撒き餌はスムーズにカップ内をスライドする。
【００１１】
また、上記隆起部の柄部側端部は、上記内壁面に滑らかに連続して形成されているのが好ましい。一般に、餌収容部が底上げされることにより餌収容部の内壁面に段部が形成された場合は、撒き餌が投げられる際に当該撒き餌が分裂しやすくなるように作用する。しかし、この構成では、上記内壁面は、その略中央部において最も大きい段部が形成され、当該段部は、柄部側に向かって漸次小さくなる。したがって、撒き餌が投げられる際に、撒き餌の内壁面の柄部側端部に対応する部分においては当該撒き餌が分裂しにくくなる。また、前述のように、撒き餌が投げられる際に、当該撒き餌が上記内壁面から剥離されることによって形成される空間に直ちに空気が導入されるので、撒き餌は、その中央部においても分裂しにくい。したがって、撒き餌は、より一層分裂のおそれが少なくなる。
【００１２】
さらに、上記隆起部は、上記内壁面の略中央部から柄部側に向かって拡がる扇形状に形成され、隆起高さ寸法は、２ｍｍ〜２０ｍｍの範囲に設定されているのが好ましい。上記隆起部がかかる形状に形成されることにより、遠投される撒き餌の分裂は効果的に回避される。
【００１３】
(2) 上記目的が達成されるため、本願に係る柄杓は、開口端を有する凹面により内壁面が形成された餌収容部を有するカップと、カップの外面に連結された柄部と、上記内壁面の底面部に柄部の長手方向に沿って形成された凹条とを備え、当該凹条の柄部側端部に、カップの外部と連通する連通孔が形成されていることを特徴とするものである。
【００１４】
この構成によれば、撒き餌は、カップの餌収容部に詰め込まれ、釣人は、柄部を操作することによって撒き餌を投げる。このとき、餌収容部の底面部に凹条が形成されているから、撒き餌は、餌収容部の内壁面から剥離しやすい。さらに、この凹条の柄部側端部にカップの外部と連通する連通孔が形成されているから、撒き餌が上記内壁面から剥離することによって上記凹条内に形成される空間に外部から空気が直ちに導入される。したがって、仮に上記空間に空気が導入されないあるいは導入されにくい場合は、撒き餌が上記内壁面から剥離すると同時に上記空間内の圧力が低下し、これにより撒き餌が分裂するおそれがあるが、上記空間に外部から空気が直ちに導入されることにより、上記空間内の圧力は大気圧を保つことができ、撒き餌の分裂が回避される。
【００１５】
また、撒き餌がカップから飛び出す場合、撒き餌は、上記内壁面を柄部の長手方向に沿ってスライドするが、このとき、上記凹条が柄部の長手方向に沿って形成されているから、撒き餌は、上記内壁面をスムーズにスライドする。加えて、撒き餌がカップ内を移動することによっては、上記連通孔が塞がれることはないから、撒き餌がカップ内をスライドし始めた後に当該スライドを阻害する抵抗が生じることはなく、撒き餌はスムーズにカップ内をスライドする。
【００１６】
上記凹条は、壁面が内径寸法１ｍｍ〜１０ｍｍに設定された半円形の溝により構成され、当該溝がカップの外部へ貫通しているのが好ましい。このように、凹条が半円形の溝により構成されるから、当該溝の壁面と上記内壁面とが滑らかに連続する。したがって、撒き餌は、より一層スムーズに上記内壁面をスライドすることができる。しかも、上記溝を構成する壁面が上記内径寸法に設定されることにより、撒き餌が投げられる際に十分な量の空気が導入されるので、撒き餌は、さらにスムーズに上記内壁面をスライドすることができる。
【発明の効果】
【００１７】
以上のように本発明によれば、撒き餌が投げられるときに、撒き餌とカップの餌収容部の内壁面との間に形成される空間に空気が直ちに導入されるから、当該空間内圧力が負圧になることに起因する撒き餌の分裂が回避される。したがって、餌収容部に詰められて当該餌収容部の内壁面形状に対応する形状に固められた撒き餌は、当該形状を維持して遠投されることが可能となり、釣人は、所望のポイントへ撒き餌を投入することができる。
【発明を実施するための最良の形態】
【００１８】
以下、適宜図面が参照されつつ、好ましい実施形態に基づいて本発明が詳細に説明される。
【００１９】
＜第１の実施形態＞
図１は、本発明の第１の実施形態に係る柄杓の斜視図である。
この柄杓１０は、釣りの際に使用され、釣人が主として撒き餌を海中に投入するために使用するものである。柄杓１０は、カップ１１と柄部１２とを備えている。また、図２は、柄杓１０の要部断面拡大図であり、カップ１１の構造が詳細に図示されている。
【００２０】
カップ１１は、樹脂や金属により構成される。カップ１１は、これらの図が示すように器状に形成されており、内部に餌収容部１３が形成されている。餌収容部１３は、その内壁面１４の形状により規定され、この内壁面１４は、開口端１５を有する凹面により構成されている。本実施形態では、カップ１１は略卵形に形成されており、その短軸寸法ａは、２０ｍｍ〜５０ｍｍの範囲に設定され、その長軸寸法ｂは、２０ｍｍ〜１００ｍｍの範囲に設定され得る。なお、カップ１１の外形形状（寸法ａ及び寸法ｂ）は、特に限定されるものではなく、種々設計変更が施される。
【００２１】
一方、柄部１２は、棒状に形成されている。本実施形態では、柄部１２の長さ寸法Ｌは、３００ｍｍ〜８００ｍｍの範囲で設定され得る。柄部１２の先端部１６は、カップ１１の基端部１７に連結されている。柄部１２は、例えば接着剤等によりカップ１１に固定されているが、両者の固定手段は、他の既知の手段が種々採用され得る。なお、柄部１２は、樹脂や金属等からなる中実棒のほか、例えばカーボンプリグレグが巻回されて中空棒状に形成されたもの等、既知の様々な構造が採用され得る。また、柄部１２の他端部には、グリップ１８が設けられている。このグリップ１８は、釣人が把持する部分であって、例えば発泡樹脂やゴム等、いわゆる滑止効果の高い材料から構成され得る。もっとも、このグリップ１８は、省略されていてもよいことは勿論である。
【００２２】
図１及び図２が示すように、上記内壁面１４には、隆起部１９が形成されている。この隆起部１９は、上記内壁面１４に連続して、餌収容部１３の内側に突出するように形成されている。したがって、餌収容部１３は、いわゆる底上げ状態に形成されている。隆起部１９は、内壁面１４の底部略中央部からカップ１１の基端部１７側に向かって（すなわち、柄部１２側に向かって）形成されている。隆起部１９の上面２０は、カップ１１の内壁面１４に滑らかに沿うように形成されている。
【００２３】
具体的には、この隆起部１９の先端部２１（上記内壁面１４の底部略中央部）は、高さ寸法がｈとなるように餌収容部１３の内側に突出しており（図２参照）、隆起部１９の柄部１２側の端部２２は、滑らかに餌収容部１３の内壁面１４に連続している。すなわち、隆起部１９の先端部２１は、カップ１１の内壁面１４に対して略直交するように当該カップ１１の内側に隆起しており、隆起部１９の高さ寸法ｈは、隆起部１９の先端部２１において最大であり、柄部１２側に向かって漸次小さくなっている。本実施形態では、上記先端部２１の高さ寸法ｈは、２ｍｍ〜２０ｍｍの範囲で適宜設定され得る。
【００２４】
また、この隆起部１９は、扇形状に形成されている（図１参照）。すなわち、隆起部１９の幅寸法は、先端部２１において最も小さく、柄部１２側に向かって漸次大きくなっている。本実施形態では、上記先端部２１の幅寸法Ｃ１は、２ｍｍ〜１２ｍｍの範囲で適宜設定され、柄部１２側の端部２２の幅寸法Ｃ２は、６ｍｍ〜４０ｍｍの範囲で適宜設定され得る。
【００２５】
さらに、この隆起部１９には、連通孔２３が設けられている。この連通孔２３は、前述のように、隆起部１９の上記先端部２１（すなわち反柄部側端部）の端面に設けられており、柄部１２に向かってカップ１１の外部と連通している。なお、連通孔２３が上記先端部２１の端面（すなわち、カップ１１の内壁面１４に対して略直交する方向に沿って形成された端面）に設けられることによる作用効果については、後述される。本実施形態では、隆起部１９の先端部２１は、半円形に形成されており、これに伴って上記連通孔２３も半円形状に形成されている。連通孔２３の内径寸法は、１ｍｍ〜１０ｍｍの範囲で適宜設定され得る。
【００２６】
本実施形態に係る柄杓１０は、次のようにして使用される。
まず、釣人は、柄杓１０のグリップ１８を把持し、カップ１１の餌収容部１３に撒き餌を詰める。そして、釣人は、柄部１２を操作することによって、撒き餌をカップ１１から離脱させて意図するポイントへ投入する。このとき、餌収容部１３の内壁面１４には上記隆起部１９が形成されているから、前述のように、餌収容部１３は底上げされた状態となっている。このため、カップ１１内に詰められた撒き餌は、餌収容部１３の内壁面１４から剥離しやすくなっている。
【００２７】
撒き餌が上記内壁面１４から剥離することによって、当該撒き餌と上記内壁面１４との間に空間が形成されることになる。隆起部１９には上記連通孔２３が設けられているから、この空間には、上記連通孔２３を介してカップ１１の外部から空気が直ちに導入されることになる。ここで、仮に上記空間に空気が導入されないあるいは導入されにくい場合は、上記空間の形成と共に当該空間の内圧が低下し、これにより、撒き餌が分裂するおそれがある。しかし、本実施形態に係る柄杓１０では、上記空間に外部から空気が直ちに導入されるので、上記空間内の圧力は大気圧を保つことができ、撒き餌の分裂が回避される。
【００２８】
さらに、撒き餌がカップ１１から飛び出す場合、撒き餌は、上記内壁面１４を柄部１２が設けられた側と反対側にスライドする。したがって、上記空間は、上記隆起部１９の先端部２１と撒き餌との間に最初に形成される。上記連通孔２３は、上記隆起部１９の先端部２１の端面に設けられているから、上記空間の形成に対応して瞬時に当該空間に空気が導入される。しかも、連通孔２３は、カップ１１の内壁面１４に対して略直交する方向に沿って形成された端面に設けられているから、撒き餌がカップ１１内をスライドした場合であっても、これによって上記連通孔２３が塞がれることはない。したがって、上記空間内の圧力は確実に大気圧を保つことができる。
【００２９】
よって、本実施形態に係る柄杓１０では、撒き餌が投げられるときに、撒き餌の分裂が確実に回避されるので、餌収容部１３に詰められて当該餌収容部１３の内壁面１４の形状に固められた撒き餌は、当該形状を維持して遠投され得る。その結果、釣人は、所望のポイントへ撒き餌を投入することができる。
【００３０】
また、本実施形態では、上記隆起部１９が形成されることによって餌収容部１３に段部が形成されることになるが、このことによって、一般に、投げられる撒き餌が分裂しやすくなる傾向にある。しかし、本実施形態では、隆起部１９の柄部側端部２２が上記内壁面１４に滑らかに連続しているので、上記内壁面１４は、その略中央部（すなわち、上記隆起部１９の先端部２１）において最大高さｈの段部が形成されるものの、この段部は、柄部１２側に向かって漸次小さくなっている。したがって、撒き餌が投げられる際に、撒き餌の上記柄部側端部２２に対応する部分においては当該撒き餌が分裂しにくくなる。しかも、このことと相まって、前述のように、上記内壁面１４の略中央部においては、上記連通孔２３を介して空気が導入されることから、撒き餌の分裂は回避される。
【００３１】
よって、撒き餌は、より一層分裂しにくくなり、その結果、釣人は、所望のポイントへ撒き餌を正確に遠投することができる。特に、本実施形態では、上記隆起部１９が前述のような扇形に形成され、しかも、上記寸法ｈが２ｍｍ〜２０ｍｍの範囲に設定されている。隆起部１９が係る形状に形成されることにより、遠投される際の撒き餌の分裂はなお一層効果的に回避される。
【００３２】
＜第２の実施形態＞
次に、本発明の第２の実施形態について説明される。
図３は、本発明の第２の実施形態に係る柄杓３０の斜視図である。また、図４は、柄杓３０の要部断面拡大図であり、カップ１１の構造が詳細に図示されている。
【００３３】
本実施形態に係る柄杓３０が上記第１の実施形態に係る柄杓１０と異なるところは、上記柄杓１０では、餌収容部１３側に突出する隆起部１９が設けられていたのに対し、本実施形態に係る柄杓３０は、上記隆起部１９に代えて凹条３１が設けられている点である。なお、その他の構成については、上記第１の実施形態に係る柄杓１０等同様である。
【００３４】
図３及び図４が示すように、凹条３１は、カップ１１の底面部が外側に突出されることによって形成されている。すなわち、凹条３１は、餌収容部１３の内壁面１４の底部３２に設けられており、柄部１２の長手方向に沿って真直に延びている。本実施形態では、凹条３１は、上記底部３２の略中央部からカップ１１の先端部３３側に向かって形成されており、凹条３１の先端部３４は、上記内壁面１４に滑らかに連続している。なお、凹条３１の先端部３４が上記内壁面１４に滑らかに連続せず、凹条３１がその先端部まで同一の形状に形成されていてもよいことは勿論である。
【００３５】
凹条３１は、壁面が半円形の溝により構成されている。本実施形態では、この溝の内径寸法ｄは、１ｍｍ〜１０ｍｍの範囲で適宜設定される。本実施形態では、凹条３１の先端部３４は、上記内壁面１４に滑らかに連続することから、凹条３１を構成する溝の内径寸法（溝の深さ寸法）は、凹条３１の先端部３４側に近づくほど小さくなる。
【００３６】
また、凹条３１の基端部３５（柄部側端部）の端面には、連通孔３６が設けられている。この連通孔３６の内径寸法は、上記凹条３１を構成する溝の内径寸法に対応している。ただし、連通孔３６の内径寸法は、上記凹条３１を構成する溝の内径寸法よりも小さく設定されていてもよい。この連通孔３６が設けられることにより、当該溝は、カップ１１の外部に貫通することになる。
【００３７】
本実施形態に係る柄杓３０においても、上記第１の実施形態に係る柄杓１０と同様の要領で使用される。すなわち、釣人は、柄杓３０のグリップ１８を把持し、カップ１１の餌収容部１３に撒き餌を詰めた後、柄部１２を操作することによって、撒き餌をカップ１１から離脱させて意図するポイントへ投入する。このとき、餌収容部１３の内壁面１４には上記凹条３１が形成されているから、カップ１１内に詰められた撒き餌は、餌収容部１３の内壁面１４から剥離しやすくなっている。
【００３８】
撒き餌が上記内壁面１４から剥離することによって、当該撒き餌と上記内壁面１４との間に空間が形成されることになるが、上記連通孔３６が設けられていることから、当該連通孔３６を介して当該空間内に空気が導入される。したがって、当該空間内の圧力は大気圧を保つことができ、投げられる撒き餌の分裂が回避される。しかも、撒き餌がカップ１１から飛び出す場合、撒き餌は、上記内壁面１４を柄部１２の長手方向に沿ってカップ１１の先端部３３側へスライドするが、このとき、上記凹条３１が当該方向に沿って形成されているから、撒き餌は、上記内壁面１４をスムーズにスライドすることができる。
【００３９】
加えて、上記第１の実施形態と同様に、連通孔３６は、上記凹条３１の基端部３５（すなわち、カップ１１の内壁面１４に対して略直交する方向に沿って形成された端面）に設けられているから、撒き餌がカップ１１内をスライドすることによって、当該撒き餌が上記連通孔３６を塞ぐことはないので、撒き餌の分裂がより一層効果的に回避される。
【００４０】
このように、本実施形態に係る柄杓３０では、餌収容部１３に詰められた撒き餌は、当該形状を維持したまま遠投され得る。その結果、釣人は、所望のポイントへ撒き餌を投入することができる。特に本実施形態では、上記凹条３１を構成する溝の内径寸法ｄが前述の寸法に設定され、この溝がカップ１１の外部に貫通しているので、上記空間に外部から十分な量の空気が導入される。しかも、当該溝の壁面（すなわち、上記凹条３１）と上記内壁面１４とが滑らかに連続している。したがって、撒き餌は、より一層スムーズに上記内壁面１４をスライドすることができ、その結果、釣人は、より一層の遠投が可能となり、所望のポイントへ撒き餌を正確に投入することができる。
【００４１】
なお、上記各実施形態に係る柄杓１０、３０のカップは、一般に金属板が絞り加工を施されることによって製造されるが、このとき、一般論として上記隆起部１９や凹条３１等の段部が形成されるときには、当該段部が形成される部分に大きな引張応力が生じるために当該段部が精度良く成形されない（段部の寸法の精度が高く維持されにくい）という傾向がある。しかし、上記各実施形態では、上記隆起部１９及び凹条３１には連通孔２３、３６が設けられるので、絞り加工が容易なものとなり、上記隆起部１９及び凹条３１が精度良く加工されるという利点がある。その結果、上記隆起部１９の高さ寸法ｈ及び凹条３１の内径寸法ｄが、大きく且つ正確に設定されることが可能である。
【産業上の利用可能性】
【００４２】
本発明は、釣りの際に、釣人が餌を撒くために使用する柄杓に適用され得る。
【図面の簡単な説明】
【００４３】
【図１】図１は、本発明の第１の実施形態に係る柄杓の斜視図である。
【図２】図２は、本発明の第１の実施形態に係る柄杓の要部断面拡大図である。
【図３】図３は、本発明の第２の実施形態に係る柄杓の斜視図である。
【図４】図４は、本発明の第２の実施形態に係る柄杓の要部断面拡大図である。
【図５】図５は、従来の一般的な撒き餌用の柄杓の要部拡大斜視図である。
【符号の説明】
【００４４】
ｈ・・・高さ寸法
ｄ・・・内径寸法
１０・・・柄杓
１１・・・カップ
１２・・・柄部
１３・・・餌収容部
１４・・・内壁面
１５・・・開口端
１６・・・先端部
１７・・・基端部
１９・・・隆起部
２０・・・上面
２１・・・先端部
２２・・・柄部側端部
２３・・・連通孔
３０・・・柄杓
３１・・・凹条
３２・・・底部
３４・・・先端部
３５・・・基端部
３６・・・連通孔
【図１】
2005073662.tif 000003
【図２】
2005073662.tif 000004
【図３】
2005073662.tif 000005
【図４】
2005073662.tif 000006
【図５】
2005073662.tif 000007